【手続補正書】
【提出日】平成19年5月23日(2007.5.23)
【手続補正１】
【補正対象書類名】特許請求の範囲
【補正対象項目名】全文
【補正方法】変更
【補正の内容】
【特許請求の範囲】
【請求項１】
長手軸を画成する骨板であって、
上表面を備え、
下表面を備え、
第１の骨アンカー具の頭部に係合するための第１の穴であって、第１の固定軸を有し、第１の骨アンカー具の心棒を前記第１の軸に沿って単一の固定角度で固定するように構成されかつ適合された第1の穴を備え、
前記長手軸に沿って前記第1の穴から離間された第２の穴であって、
第２の骨アンカー具の頭部に係合するための第２の穴であって、第２の固定軸を有し、第２の骨アンカー具の心棒を第２の軸に沿って単一の固定角度で固定するように構成されかつ適合された前記第２の穴を備えて
前記第１の穴および第２の穴は、前記第１の軸および前記第２の軸が単一平面を画成しかつ前記下表面の下方の点で交差するように構成された骨板。
【請求項２】
第３の骨アンカー具の頭部に係合するための第３の穴であって、第３の固定軸を有し、前記第３の骨アンカー具の心棒を前記第３の軸に沿って単一の固定角度で固定するように構成されかつ適合された第３の穴を備えて、
前記第３の穴は前記第１の穴と第２の穴との間に配置され、前記第３の軸は前記第１および第２の軸によって画成された前記平面に対して角度を成して位置する、請求項１に記載の骨板。
【請求項３】
前記第１、第２、および第３の穴は、前記骨板の前記長手軸に沿って位置する、請求項２に記載の骨板。
【請求項４】
前記第１および第２の穴の少なくとも一つは、一部にねじが切られ、かつ一部はねじが切られていないものである、請求項１に記載の骨板。
【請求項５】
一部にねじが切られた前記少なくとも一つの穴は、ねじが切られていない上部領域と、ねじが切られた中間領域と、ねじが切られていない下部領域とを有する、請求項４に記載の骨板。
【請求項６】
前記上部領域は、前記上表面から前記下表面に至る方向に湾曲した又は球面の内向きテーパを有する、請求項５に記載の骨板。
【請求項７】
前記中間領域は、前記上表面から前記下表面に至る方向に、円錐内向きテーパを有する、請求項５に記載の骨板。
【請求項８】
前記中間領域は、５°から１５°までの角度でテーパが付けられた、請求項７に記載の骨板。
【請求項９】
前記下部領域は、上から下へ、円錐外向きテーパを有する、請求項５に記載の骨板。
【請求項１０】
前記中間領域は、前記上部領域および下部領域の直径よりも小さい直径を有する、請求項５に記載の骨板。
【請求項１１】
前記第１および第２の穴は、前記骨板の前記長手軸に沿って位置する、請求項４に記載の骨板。
【請求項１２】
前記下部領域は、３５°から５５°までの角度で外向きにテーパが付けられた、請求項９に記載の骨板。
【請求項１３】
前記第１および第２の穴は、前記骨板の前記長手軸に沿って位置する、請求項１に記載の骨板。
【請求項１４】
２つの対向する端を含む心棒を有し、前記心棒の一端に先端をかつ前記心棒の対向端に前記先端に対向して頭部を備えた第１の骨アンカー具を備え、前記第１の骨アンカー具の前記頭部は前記第１の穴に係合し、
２つの対向する端を含む心棒を有し、前記心棒の一端に先端をかつ前記心棒の対向端に前記先端に対向して頭部を備えた第２の骨アンカー具を備え、前記第２の骨アンカー具の前記頭部は前記第２の穴に係合し、
前記第２の骨アンカー具の前記心棒は、トラスを形成するように前記下表面の下方の点の近傍で前記第１の骨アンカー具の前記心棒に接触する、請求項１に記載の骨板。
【請求項１５】
前記第２の骨アンカー具の前記先端は、前記第１の骨アンカー具の前記心棒に接触する、請求項１４に記載の骨板。
【請求項１６】
前記第２の骨アンカー具の前記先端は、前記第１の骨アンカー具の前記先端に接触する、請求項１４に記載の骨板。
【請求項１７】
２つの対向する端を含む心棒を有し、前記心棒の一端に先端をかつ前記心棒の対向端に前記先端に対向して頭部を備えた第１の骨アンカー具を備え、前記第１の骨アンカー具の前記頭部は前記第１の穴に係合し、
２つの対向する端を含む心棒を有し、前記心棒の一端に先端をかつ前記先端に対向して頭部を有する第２の骨アンカー具を備え、前記第２の骨アンカー具の前記頭部は前記第２の穴に係合して、
前記第２の骨アンカー具の前記心棒は、トラスを形成するように前記下表面の下方の点の近傍で前記第１の骨アンカー具の前記心棒に隣接する、請求項１に記載の骨板。
【請求項１８】
前記第２の骨アンカー具の前記先端は、前記第１の骨アンカー具の前記心棒に隣接する、請求項１７に記載の骨板。
【請求項１９】
前記第２の骨アンカー具の前記先端は、前記第１の骨アンカー具の前記先端に隣接する、請求項１７に記載の骨板。
【請求項２０】
前記第１および第２の軸によって画成された前記平面は、前記長手軸に沿って前記骨板を二分する平面に対して角度を成して位置する、請求項１に記載の骨板。
【請求項２１】
前記角度は、約３°と約６°の間にある、請求項２０に記載の骨板。
【請求項２２】
前記第１および第２の穴は、前記第１および第２の軸が前記交点で鋭角を画成するように構成される、請求項1に記載の骨板。
【請求項２３】
前記第１および第２の穴は、前記第１および第２の軸が前記交点で約３０°と約４５°の間の角度を画成するように構成される、請求項２２に記載の骨板。
【請求項２４】
前記第１の軸は、前記骨板の前記下表面に対して実質的に直角である、請求項１に記載の骨板。
【請求項２５】
前記第２の軸は、前記骨板の前記下表面と実質的に鋭角を形成する、請求項１に記載の骨板。
【請求項２６】
前記第１および第２の穴の少なくとも一方は、骨アンカー具のねじを切られた頭部に係合するようにねじが切られた、請求項１に記載の骨板。
【請求項２７】
前記第１および第２の穴の少なくとも一方は、前記上表面から前記下表面まで円錐テーパが付けられた、請求項２６に記載の骨板。
【請求項２８】
前記第１および第２の穴の少なくとも一方は、その中に骨アンカー具の端部がプレス嵌めされるように寸法決めされかつ構成された、請求項１に記載の骨板。
【請求項２９】
前記骨アンカー具の少なくとも一方は骨ねじである、請求項１に記載の骨板。
【請求項３０】
骨ねじを受け入れるための少なくとも１つの組合せ穴を更に備え、前記組合せ穴は第１部分および第２部分を有し、
前記第１部分は、第１の中心点を画成する実質的に円形外周囲を画成し、さらに
前記第２部分は、第２の中心点を画成する細長い外周囲を画成し、前記細長い外周囲は前記板の前記長手軸と実質的に平行な方向に伸延し、かつ前記第２部分は前記第１部分に重なる、請求項１に記載の骨板。
【請求項３１】
複数のねじ山が前記第１部分の上に配置される、請求項３０に記載の骨板。
【請求項３２】
前記複数のねじ山は骨ねじの頭部にねじ込み係合する、請求項３１に記載の骨板。
【請求項３３】
前記第２部分は、骨ねじの実質的に球形の頭部に係合するように構成されかつ寸法決めされる、請求項３１に記載の骨板。
【請求項３４】
前記組合せ穴の少なくとも一部が、前記上表面および前記下表面の両方で座ぐりされる、請求項３０に記載の骨板。
【請求項３５】
前記骨板の少なくとも一部は、前記長手軸に沿って厚みが変化する、請求項１に記載の骨板。
【請求項３６】
前記骨板は、第１端、第２端を更に備え、前記第１端は骨の一部の輪郭に実質的に一致するように寸法決めされかつ構成される、請求項１に記載の骨板。
【請求項３７】
前記第１端は、骨組織に固定するための縁部を有する鈎を含み、前記縁部は前記下表面の下に配置される、請求項３６に記載の骨板。
【請求項３８】
前記鈎の前記縁部は、２つの離間した鈎爪によって画成される、請求項３７に記載の骨板。
【請求項３９】
前記鈎は前記骨板と一体である、請求項３７に記載の骨板。
【請求項４０】
骨ねじを受け入れるための少なくとも１つの組合せ穴を更に備え、前記組合せ穴は第１部分および第２部分を有し、
前記第１部分は、第１の中心点を画成する実質的に円形外周囲を画成し、かつ
前記第２部分は、第２の中心点を画成する実質的に円形外周囲を画成し、前記第２部分は前記第１部分に重なる、請求項１に記載の骨板。
【請求項４１】
複数のねじ山が、前記第１および第２部分のそれぞれの上に配置される、請求項４０に記載の骨板。
【請求項４２】
複数のねじ山が、前記第１および第２部分の一方のみの上に配置される、請求項４０に記載の骨板。
【請求項４３】
前記２つの部分は同方向にねじを切られた、請求項４１に記載の骨板。
【請求項４４】
前記２つの部分は、相互に逆方向にねじを切られた、請求項４１に記載の骨板。
【請求項４５】
前記ねじ山は、前記上表面から前記下方面に至る方向に、円錐内向きテーパを有する、請求項４１に記載の骨板。
【請求項４６】
前記それぞれのねじを切られた部分は、約１９０°から約２７０°までの角度にわたって形成される、請求項４１に記載の骨板。
【請求項４７】
骨板固定システムであって、
２つの対向する端を含む心棒を有し、前記心棒の一端に先端をかつ前記心棒の対向端にねじを切られた頭部を含む第１の骨アンカー具を備え、
２つの対向する端を含む心棒を有し、前記心棒の一端に先端をかつ前記心棒の対向端にねじを切られた頭部を含む第２の骨アンカー具を備え、
長手軸を画成する板であって、
上表面を備え、
下表面を備え、
前記第１の骨アンカー具の前記ねじを切った頭部を受け入れるための第１のねじを切られた穴を備え、前記第１のねじを切られた穴は、単一の予定された配向軸を有し、かつ、前記第１の骨アンカー具の前記心棒を前記第１の穴の前記配向軸に沿って予定された固定角度で固定するように構成されかつ適合されたものであり、さらに
前記第２の骨アンカー具の前記ねじを切られた頭部を受け入れるための第２のねじを切られた穴を備え、前記第２の穴は、単一の予定された配向軸を有し、かつ、前記第２の骨アンカー具の前記心棒を前記第２の穴の前記配向軸に沿って予定された固定角度で固定するように構成されかつ適合されたものであって、
前記第１のねじを切られた穴および前記第２のねじを切られた穴は、前記第１および第２のねじを切られた穴の前記配向軸は、前記板の前記下表面の下方の点で交差し、さらに前記第１の骨アンカー具は前記第１のねじを切られた穴に係合するように構成されかつ適合されたものであり、さらに前記第２の骨アンカー具は、トラスを形成するために前記第２のねじを切られた穴に係合するように構成されかつ適合されたものである、骨板固定システム。
【請求項４８】
前記第１および第２のねじを切られた穴は、前記長手軸に沿って離間されている、請求項４７に記載の骨板固定システム。
【請求項４９】
前記第１および第２のねじを切られた穴は、前記骨板の前記長手軸の上に位置する、請求項４７に記載の骨板固定システム。
【請求項５０】
前記骨板固定システムは、２つの対向する端を含む心棒を有し、前記心棒の一端に先端をかつ前記心棒の対向端にねじを切られた頭部を含む第３の骨アンカー具をさらに備えて、前記板は、前記第３の骨アンカー具の前記ねじを切られた頭部を受け入れるための第３のねじを切られた穴を含み、前記第３のねじを切られた穴は、単一の予定された配向軸を有し、前記第３のアンカー具の心棒を前記第３の穴の前記配向軸に沿って予定された固定角度で固定するように構成されかつ適合されたものであり、そして、第３のねじを切られた穴の前記配向軸は、前記第１および第２のねじを切られた穴の前記配向軸によって画成された平面に対して角度を成して位置する、請求項４７に記載の骨板固定システム。
【請求項５１】
前記第３のねじを切られた穴は、前記第１のねじを切られた穴と第２のねじを切られた穴との間に配置された、請求項５０に記載の骨板固定システム。
【請求項５２】
前記第２の骨アンカー具の前記心棒は、前記下表面の下方の前記点の近傍で前記第１の骨アンカー具の前記心棒に接触するように寸法決めされた、請求項４７に記載の骨板固定システム。
【請求項５３】
前記第２の骨アンカー具の前記先端は、前記第１の骨アンカー具の前記心棒に接触する、請求項５２に記載の骨板固定システム。
【請求項５４】
前記第２の骨アンカー具の前記先端は、前記第１の骨アンカー具の前記先端に接触する、請求項５２に記載の骨板固定システム。
【請求項５５】
前記第２の骨アンカー具の前記心棒は、前記心棒が前記下表面の下方の前記点に近接して前記第１の骨アンカー具の前記心棒に隣接するように寸法決めされる、請求項４７に記載の骨板固定システム。
【請求項５６】
前記第２の骨アンカー具の前記先端は、前記第１の骨アンカー具の前記心棒に隣接する、請求項５５に記載の骨板固定システム。
【請求項５７】
前記第１および第２の骨ねじを切られた穴の前記配向軸によって画成された平面が、前記長手軸に沿って前記骨板を二分する平面に対して角度を成して位置する、請求項４７に記載の骨板固定システム。
【請求項５８】
前記角度は約３°と約６°の間にある、請求項５７に記載の骨板固定システム。
【請求項５９】
前記第１および第２のねじを切られた穴は、前記配向軸が前記交点で鋭角を画成するように構成される、請求項４７に記載の骨板固定システム。
【請求項６０】
前記第１および第２のねじを切られた穴の前記配向軸は、前記交点で約３０°と約４５°の間の角度を画成する、請求項５８に記載の骨板固定システム。
【請求項６１】
前記ねじを切られた穴の少なくとも一つは、前記上表面から前記下表面まで円錐テーパが付けられた、請求項４７に記載の骨板固定システム。
【請求項６２】
前記骨板固定システムは、骨ねじを受け入れるための少なくとも1つの組合せ穴をさらに備え、前記組合せ穴は第１部分および第２部分を有し、
前記第1部分は、第１の中心点を画成する実質的に円形外周囲を画成し、さらに
前記第２部分は、第２の中心点を画成する細長い外周囲を画成し、前記細長い外周囲は、前記板の前記長手軸に実質的に平行な方向に伸延し、かつ前記第２部分は前記第１部分に重なる、請求項４７に記載の骨板固定システム。
【請求項６３】
複数のねじ山が前記第１部分の上に配置される、請求項６２に記載の骨板固定システム。
【請求項６４】
前記複数のねじ山は骨ねじの頭部にねじ込み係合する、請求項６３に記載の骨板固定システム。
【請求項６５】
前記第２部分は、骨ねじの実質的に球形の頭部に係合するように構成されかつ寸法決めされる、請求項６２に記載の骨板固定システム。
【請求項６６】
前記組合せ穴の少なくとも一部は、前記上表面および前記下表面の両方で座ぐりされる、請求項６２に記載の骨板固定システム。
【請求項６７】
前記骨板の少なくとも一部は、前記長手軸に沿って厚みが変化する、請求項４７に記載の骨板固定システム。
【請求項６８】
前記第１および第２の骨アンカー具の少なくとも一つは骨ねじである、請求項４７に記載の骨板固定システム。
【請求項６９】
前記骨ねじは、前記骨ねじ板の前記頭部の上表面から前記骨ねじの前記心棒を貫通する連続溝を画成する貫通穴を有する、請求項６８に記載の骨板固定システム。
【請求項７０】
前記骨板は第１端、第２端をさらに備え、前記第１端は骨の一部の輪郭に実質的に一致するように寸法決めされかつ構成された、請求項４７に記載の骨板。
【請求項７１】
前記第１端は骨組織に取り付くための縁部を有する鈎を含み、前記縁部は前記下表面の下に配置される、請求項４７に記載の骨板。
【請求項７２】
前記鈎の前記縁部は２つの離間した鈎爪によって画成される、請求項７１に記載の骨板。
【請求項７３】
前記鈎は前記骨板と一体である、請求項７１に記載の骨板。
【請求項７４】
骨固定システムであって、
２つの対向端を含む心棒を有し、一端に先端を含みかつ前記先端に対向する前記心棒の他端に頭部を含む第１の骨アンカー具を備え、
２つの対向端を含む心棒を有し、一端に先端を含みかつ前記先端に対向する前記心棒の他端に頭部を含む第２の骨アンカー具を備え、
骨板であって、
上表面を備え、
下表面を備え、
前記第１の骨アンカー具の前記頭部に係合するための第１の穴を備え、さらに
前記第１の穴から離間された第２の穴を備え、前記第２の穴は前記第２の骨アンカー具の前記頭部に係合する、骨板を備え、
前記第１の穴および前記第２の穴は、前記第１と第２の骨アンカー具が前記第１と第２の穴にそれぞれ挿入されると、第２の骨アンカー具が第１の骨アンカー具と常に交差してトラスを形成するように構成される、骨固定システム。
【請求項７５】
前記第２の骨アンカー具は、前記第２の骨アンカー具の前記心棒が、前記第１の骨アンカー具の前記心棒に接触するように寸法決めされかつ構成される、請求項７４に記載の骨アンカー具。
【請求項７６】
前記第２の骨アンカー具の前記先端は、前記第１の骨アンカー具の前記心棒に接触する、請求項７５に記載の骨アンカー具。
【請求項７７】
前記第２の骨アンカー具の前記先端は、前記第１の骨アンカー具の前記心棒に隣接する、請求項７５に記載の骨アンカー具。
【請求項７８】
骨板であって、
上表面を備え、
下表面を備え、
第１の長手軸を有する第1部分を備え、
第２の長手軸を有する第２部分を備え、前記第２部分は、前記第１の長手軸と前記第２の長手軸との間に挟角が画成されるように、前記第1部分に連結され、
第１の骨アンカー具の頭部に係合するための第１の穴を備え、前記第１の穴は、第１の固定軸を画成し、前記第１の骨アンカー具の心棒を前記第１の固定軸に沿って単一の予定された角度で固定するように構成されかつ適合されたものであり、
第２の骨アンカー具の頭部に係合するための前記第１の穴から離間された第２の穴を備え、前記第２の穴は、第２の固定軸を画成し、前記第２の骨アンカー具の心棒を前記第２の固定軸に沿って単一の予定された角度で固定するように構成されかつ適合されたものであって、
前記第１の穴および前記第２の穴は、前記第１の軸および前記第２の軸により画成される単一平面内であって前記板の前記下表面の下方の点で交差するように構成された、骨板。
【請求項７９】
前記第１部分および前記第２部分は、単体材料から一体的に作製されたものである、請求項７８に記載の骨板。
【請求項８０】
前記第１および第２の穴は両方とも前記第２部分の中に配置された、請求項７８に記載の骨板。
【請求項８１】
前記第１部分は前記第２部分よりも長い、請求項７８に記載の骨板。
【請求項８２】
前記第１の長手軸と第２の長手軸との間の前記挟角は鈍角である、請求項７８に記載の骨板。
【請求項８３】
前記挟角は約１５０°から約１５５°までの角度である、請求項８２に記載の骨板。
【請求項８４】
前記第１の長手軸と第２の長手軸との間の前記挟角は鋭角である、請求項７８に記載の骨板。
【請求項８５】
前記挟角は約８５°から約９５°までの角度である、請求項７８に記載の骨板。
【請求項８６】
前記第２部分は、前記骨板が実質的にL字形であるように前記第１部分に連結される、請求項８５に記載の骨板。
【請求項８７】
前記第２部分は、前記骨板が実質的にT字形であるように前記第１部分に連結される、請求項８５に記載の骨板。
【請求項８８】
前記第２部分は、前記第２部分が前記第１部分の平面とは異なる平面内に位置するように前記第１部分に連結される、請求項７８に記載の骨板。
【請求項８９】
前記骨板は、前記第１部分を前記第２部分に連結する移行部分をさらに備え、前記移行部分は第３の長手軸を有し、前記移行部分は、前記第３の長手軸が、前記第１の長手軸に対して第１の挟角を画成し、かつ前記第２の長手軸に対して第２の挟角を画成するように前記第２部分を前記第1部分に連結する、請求項７８に記載の骨板。
【請求項９０】
前記第１および第２の挟角の少なくとも一方は実質的に鋭角である、請求項８９に記載の骨板。
【請求項９１】
前記第１および第２の挟角の少なくとも一方は実質的に鈍角である、請求項８９に記載の骨板。
【請求項９２】
前記移行部分の前記上表面は実質的にS字形である、請求項８９に記載の骨板。
【請求項９３】
前記第２の長手軸に沿った前記第２部分の前記下表面の少なくとも一部が曲率半径を画成する、請求項７８に記載の骨板。
【請求項９４】
前記骨板は、２つの対向端を含む心棒を有し、前記心棒の一端に先端を含みかつ前記心棒の前記対向端に前記先端に対向して頭部が位置する第１の骨アンカー具をさらに備え、前記第１の骨アンカー具の前記頭部は前記第１の穴に係合し、さらに、２つの対向端を含む心棒を有し、前記心棒の一端に先端を含みかつ前記心棒の前記対向端に前記先端に対向して頭部が位置する第２の骨アンカー具をさらに備え、前記第２の骨アンカー具の前記頭部は前記第２の穴に係合しており、前記第２の骨アンカー具の前記心棒は、前記下表面の下方の前記点に近接して前記第１の骨アンカー具の前記心棒に接触する、請求項７８に記載の骨板。
【請求項９５】
前記第２の骨アンカー具の前記先端は前記第１の骨アンカー具の前記心棒に接触する、請求項９４に記載の骨板。
【請求項９６】
前記第２の骨アンカー具の前記先端は前記第１の骨アンカー具の前記先端に接触する、請求項９４に記載の骨板。
【請求項９７】
前記骨板は、２つの対向端を含む心棒を有し、前記心棒の一端に先端を含みかつ前記心棒の前記対向端に前記先端に対向して頭部が位置する第１の骨アンカー具をさらに備え、前記第１の骨アンカー具の前記頭部は前記第１の穴に係合し、さらに、２つの対向端を含む心棒を有し、前記心棒の一端に先端を含みかつ前記心棒の前記対向端に前記先端に対向して頭部が位置する第２の骨アンカー具をさらに備え、前記第２の骨アンカー具の前記頭部は前記第２の穴に係合しており、前記第２の骨アンカー具の前記心棒は、前記下表面の下方の前記点に近接して前記第１の骨アンカー具の前記心棒に接触する、請求項７８に記載の骨板。
【請求項９８】
前記第２の骨アンカー具の前記先端は前記第１の骨アンカー具の前記心棒に隣接する、請求項９７に記載の骨板。
【請求項９９】
前記第２の骨アンカー具の前記先端は前記第１の骨アンカー具の前記先端に隣接する、請求項９７に記載の骨板。
【請求項１００】
前記第１および第２の穴は両方とも同じ部分の中に配置される、請求項７８に記載の骨板。
【請求項１０１】
前記第１および第２の穴は、前記第１および第２の中心軸が前記交点で鋭角を画成するように構成される、請求項７８に記載の骨板。
【請求項１０２】
第３の骨アンカー具の頭部に係合するための第３の穴を少なくとも備え、前記第３の穴は、第３の固定軸を画成し、前記第３のアンカー具の心棒を前記第３の軸に沿って単一の予定された角度で固定するように構成されかつ適合された、請求項７８に記載の骨板。
【請求項１０３】
前記第３の軸は前記第１および第２の軸の少なくとも一方と交差する、請求項１０２に記載の骨板。
【請求項１０４】
前記骨板は、
心棒を有し、前記心棒の一端に先端を含みかつ前記心棒の前記対向端に前記先端に対向して頭部が位置する第１の骨アンカー具を備え、前記第１の骨アンカー具の前記頭部は前記第１の穴に係合し、
心棒を有し、前記心棒の一端に先端を含みかつ前記心棒の前記対向端に前記先端に対向して頭部が位置する第２の骨アンカー具を備え、前記第２の骨アンカー具の前記頭部は前記第２の穴に係合し、
心棒を有し、前記心棒の一端に先端を含みかつ前記心棒の前記対向端に前記先端に対向して頭部が位置する第３の骨アンカー具を備え、前記第３の骨アンカー具の前記頭部は前記第３の穴に係合し、
前記第３の骨アンカー具の前記心棒は、トラスを形成するために前記第１および第２の骨アンカー具の心棒の少なくとも一方に接触する、請求項１０２に記載の骨板。
【請求項１０５】
前記第３の骨アンカー具の前記先端は、トラスを形成するために前記第１および第２の骨アンカー具の前記心棒の少なくとも一方に接触する、請求項１０４に記載の骨板。
【請求項１０６】
前記第３の穴は、前記第１および第２の穴の平面とは異なる前記骨板の部分の中に配置される、請求項１０４に記載の骨板。
【請求項１０７】
前記骨板は、前記第１部分を前記第２部分に連結する移行部分をさらに備え、前記第２部分は前記第１部分の平面とは異なる平面内にあり、前記第３の穴は前記移行部分の中に配置される、請求項１０２に記載の骨板。
【請求項１０８】
前記第１、第２、および第３の穴の少なくとも１つは、骨固定具のねじを切った頭部と係合するようにねじが切られたものである、請求項１０２に記載の骨板。
【請求項１０９】
前記第１および第２の穴の少なくとも一つは、骨固定具のねじを切った頭部と係合するようにねじが切られたものである、請求項７８に記載の骨板。
【請求項１１０】
前記第１および第２の穴は、前記第１および第２の軸が前記交点で鋭角を画成するように構成された、請求項７８に記載の骨板。
【請求項１１１】
前記第１および第２の穴は、前記第１および第２の軸が、前記交点で約３０°と約４５°の間の角度を画成するように構成された、請求項１１０に記載の骨板。
【請求項１１２】
前記第１および第２の中心軸によって画成された前記平面は、前記第１の長手軸に沿って前記骨板を二分する平面に対して角度を成して位置する、請求項７８に記載の骨板。
【請求項１１３】
前記角度は約３°と約６°の間にある、請求項１１２に記載の骨板。